(57)【要約】【目的】優れた布糸解れ防止効果を有して、耐久性があり、特に、基布とポケット部とを折り返しによって一体に形成することができ、折り返し部分が糸解れ防止効果を有し、耐久性のあるポケット付き清掃部材及び清掃具を提供する。【構成】下面に払拭部材３を設けた基布２の長手方向両端部にポケット部４、５を有し、ポケット部４、５に清掃部材保持具１０の端部を挿入できるようにする。基布２の両側縁に布糸解れ防止手段を設け、基布２の長手方向両端部を折り返し、折り返し部分の両側縁を固定してポケット部４、５を形成する。ポケット部４、５の開口部４ａ、５ａを覆うように基布２の中間部に当布６を配置し、当布６の両側縁を基布２に固定する。基布２及びポケット部４、５及び当布６が織布からなり、布糸解れ防止手段及び当布糸解れ防止手段が、織布の横糸８をジグザグ状に織成し、両側縁に糸切断部を有しない布縁構造からなるものである。【選択図】  図１
2007215791.tif 000002
【特許請求の範囲】
【請求項１】
下面に払拭部材が設けられた基布の長手方向両端部にポケット部を有し、前記ポケット部の少なくとも一方に清掃部材保持具の端部を挿入できるようにしたポケット付き清掃部材において、前記基布の両側縁に布糸解れ防止手段を設け、前記基布の長手方向両端部を折り返し、その折り返し部分の両側縁を固定して前記ポケット部を形成したことを特徴とするポケット付き清掃部材。
【請求項２】
前記基布及び前記ポケット部が織布からなり、前記布糸解れ防止手段が、前記織布の横糸をジグザグ状に織成し、前記両側縁に糸切断部を有しない布縁構造からなり、前記基布と前記ポケット部が縫着により固定されている請求項１に記載のポケット付き清掃部材。
【請求項３】
前記基布及び前記ポケット部が化繊糸布からなり、前記布糸解れ防止手段が、前記化繊糸布の両側縁を溶着した溶着部を備えた布縁構造からなり、前記基布と前記ポケット部が溶着により固定されている請求項１に記載のポケット付き清掃部材。
【請求項４】
前記基布及び前記ポケット部が布に合成樹脂を塗布した素材から形成され、前記布糸解れ防止手段が、合成樹脂を布に塗布して布の縁部を固着する構造からなり、前記基布と前記ポケット部の両側縁が縫着及び／又は溶着により固定されている請求項１に記載のポケット付き清掃部材。
【請求項５】
前記ポケット部の端縁にテープが縫着されることにより、解れ防止処理が施されている請求項１〜４のいずれかに記載のポケット付き清掃部材。
【請求項６】
前記ポケット部の端縁が内側に折り返されて縫着されることにより、解れ防止処理が施されている請求項１〜４のいずれかに記載のポケット付き清掃部材。
【請求項７】
前記ポケット部の開口部を覆うように前記基布の中間部に当布が配置され、この当布の両側縁が前記基布に固定され、前記当布は両側縁に当布糸解れ防止手段が設けられている請求項１〜６のいずれかに記載のポケット付き清掃部材。
【請求項８】
前記当布が織布からなり、前記当布糸解れ防止手段が、前記織布の横糸をジグザク状に織成し、両側縁に糸切断部を有しない布縁構造からなり、前記当布と前記基布が縫着により固定されている請求項７に記載のポケット付き清掃部材。
【請求項９】
前記当布が化繊糸布からなり、前記当布糸解れ防止手段が、前記化繊糸布の両側縁を溶着した溶着部を備えた布縁構造からなり、前記基布と前記当布が溶着により固定されている請求項７に記載のポケット付き清掃部材。
【請求項１０】
前記当布が布に合成樹脂を塗布した素材から形成され、前記当布糸解れ防止手段が、合成樹脂を布に塗布して布の縁部を固着する構造からなり、前記基布と前記当布の両側縁が縫着及び／又は溶着により固定されている請求項７に記載のポケット付き清掃部材。
【請求項１１】
前記当布の長手方向両端縁にテープが縫着されることにより、解れ防止処理が施されている請求項７〜１０のいずれかに記載のポケット付き清掃部材。
【請求項１２】
前記当布の長手方向両端縁が内側に折り返されて縫着されることにより、解れ防止処理が施されている請求項７〜１０のいずれかに記載のポケット付き清掃部材。
【請求項１３】
請求項１〜６のいずれかに記載のポケット付き清掃部材の両側のポケット部に、清掃部材保持具の両端部がそれぞれ挿入されていることを特徴とする清掃具。
【請求項１４】
請求項７〜１２のいずれかに記載のポケット付き清掃部材の前記当布の一端側の開口部から他端側の前記ポケット部に、グリップ部に支持片が突設された清掃部材保持具の前記支持片が挿入されていることを特徴とする清掃具。
【発明の詳細な説明】
【技術分野】
【０００１】
本発明は、下面に払拭部材が設けられた基布の長手方向両端部にポケット部を有し、前記ポケット部の少なくとも一方に清掃部材保持具の端部を挿入できるようにしたポケット付き清掃部材及び清掃具に関するものである。
【背景技術】
【０００２】
図１１は特開平１−２７０８３７（特許文献１）によって開示された従来技術の湿潤清掃用モップカバーの一部切断斜視図である。図１１によって説明すると、この従来技術の湿潤清掃用モップカバー１０１は、長手方向の端部分の上側にハンドルを挿入するための二つのポケット部１０３が縫い付けられている繊維製支持部材１０２を有している。繊維製支持部材１０２はその下側に、隣接して列をなすスポンジ状布のストリップ１０４を有している。これらのストリップ１０４は、支持部材１０２の長手方向に互いに平行に配列されており、ライン１０５に沿った領域全体にわたり支持部材１０２に取り付けられている。ストリップ１０４は、縫合、接着または溶着により取付けることができる。繊維製支持部材１０２の外縁部を囲んで、更にフリンジ１０６が下側に取り付けられている。このフリンジ１０６は湿潤清用モップカバー１０１について一般的である長さを有し、支持部材１０２に縫合、ふさ付け、粘着または溶着されている。
【０００３】
図１２は特開平１１−４２１９４（特許文献２）によって開示された従来技術の清掃具を示し、（１２Ａ）はその分解斜視図、（１２Ｂ）はその組み付けされた状態を示す斜視図である。（１２Ａ）（１２Ｂ）によって説明すると、この従来技術の清掃具は、払拭布２０２と、この払拭布２０２の滑り防止手段２１３を備えた払拭布受け部２１１と払拭布受け部２１１に結合された把持部２１２とからなる取っ手２０１を有する。払拭布２０２は、取っ手２０１に装着するためにシート状に形成され、複数の切り込み２０２ａを入れている。取っ手２０１は、畳んだ払拭布２０２の中に挿入することによって払拭布２０２の芯材を構成する払拭布受け部２１１と、この受け部２１１に連接する把持部２１２とから構成している。この取っ手２０１を払拭布２０２に挿入・装着して清掃具として用いるようになっている。
【特許文献１】特開平１−２７０８３７号公報
【特許文献２】特開平１１−４２１９４号公報
【発明の開示】
【発明が解決しようとする課題】
【０００４】
しかしながら、図１１に示す従来の湿潤清掃用モップカバーにおいては、繊維製支持部材１０２の両側縁は裁断されたものであって、糸解れ防止処理がなされていないから、多数回使用することによって、両側縁に糸解れが生じてしまうという問題があった。また、二つのポケット部１０３の両側縁も裁断されたものであって、糸解れ防止処理がなされていないから、ポケット１０３の両側部に糸解れが生じてしまい、繊維製支持部材１０２からポケット１０３が剥がれてしまうという問題があった。また、汚れたモップカバーを洗濯する頻度が多くなると、布糸が解れたり、千切れたりして、耐久性に劣っていた。
【０００５】
また、図１２に示す従来の清掃具においては、払拭布２０２に多数の切り込み２０２ａを入れているから、多数回使用することによって、切り込み２０２ａ部分が千切れてしまい、耐久性に劣るという問題があった。また、汚れた払拭布２０２を洗濯する頻度が多くなると、切り込み２０２ａ部分が千切れてしまい、耐久性に劣るという問題があった。
【０００６】
本発明は、上記従来の問題に鑑みてなされたものであって、優れた布糸解れ防止効果を有して、耐久性のあるポケット付き清掃部材を提供することを目的としている。特に、基布とポケット部とを折り返しによって一体に形成することができ、折り返し部分が糸解れ防止効果を有し、耐久性のあるポケット付き清掃部材を提供することを目的とする。更に、洗濯等により繰返し使用でき、耐久性のあるポケット付き清掃部材及び清掃具を提供することを目的としている。
【課題を解決するための手段】
【０００７】
本発明は、上記課題を解決するために提案されたものであって、本発明の第１の形態は、下面に払拭部材が設けられた基布の長手方向両端部にポケット部を有し、前記ポケット部の少なくとも一方に清掃部材保持具の端部を挿入できるようにしたポケット付き清掃部材において、前記基布の両側縁に布糸解れ防止手段を設け、前記基布の長手方向両端部を折り返し、その折り返し部分の両側縁を固定して前記ポケット部を形成したポケット付き清掃部材である。
【０００８】
本発明の第２の形態は、第１の形態において、前記基布及び前記ポケット部が織布からなり、前記布糸解れ防止手段が、前記織布の横糸をジグザグ状に織成し、前記両側縁に糸切断部を有しない布縁構造からなり、前記基布と前記ポケット部が縫着により固定されているポケット付き清掃部材である。
【０００９】
本発明の第３の形態は、第１の形態において、前記基布及び前記ポケット部が化繊糸布からなり、前記布糸解れ防止手段が、前記化繊糸布の両側縁を溶着した溶着部を備えた布縁構造からなり、前記基布と前記ポケット部が溶着により固定されているポケット付き清掃部材である。
【００１０】
本発明の第４の形態は、第１の形態において、前記基布及び前記ポケット部が布に合成樹脂を塗布した素材から形成され、前記布糸解れ防止手段が、合成樹脂を布に塗布して布の縁部を固着する構造からなり、前記基布と前記ポケット部の両側縁が縫着及び／又は溶着により固定されているポケット付き清掃部材である。
【００１１】
本発明の第５の形態は、第１〜第４のいずれかの形態において、前記ポケット部の端縁にテープが縫着されることにより、解れ防止処理が施されているポケット付き清掃部材である。
【００１２】
本発明の第６の形態は、第１〜第４のいずれかの形態において、前記ポケット部の端縁が内側に折り返されて縫着されることにより、解れ防止処理が施されているポケット付き清掃部材である。
【００１３】
本発明の第７の形態は、第１〜第６のいずれかの形態において、前記ポケット部の開口部を覆うように前記基布の中間部に当布が配置され、この当布の両側縁が前記基布に固定され、前記当布は両側縁に当布糸解れ防止手段が設けられているポケット付き清掃部材である。
【００１４】
本発明の第８の形態は、第７の形態において、前記当布が織布からなり、前記当布糸解れ防止手段が、前記織布の横糸をジグザク状に織成し、両側縁に糸切断部を有しない布縁構造からなり、前記当布と前記基布が縫着により固定されているポケット付き清掃部材である。
【００１５】
本発明の第９の形態は、第７の形態において、前記当布が化繊糸布からなり、前記当布糸解れ防止手段が、前記化繊糸布の両側縁を溶着した溶着部を備えた布縁構造からなり、前記基布と前記当布が溶着により固定されているポケット付き清掃部材である。
【００１６】
本発明の第１０の形態は、第７の形態において、前記当布が布に合成樹脂を塗布した素材から形成され、前記当布糸解れ防止手段が、合成樹脂を布に塗布して布の縁部を固着する構造からなり、前記基布と前記当布の両側縁が縫着及び／又は溶着により固定されているポケット付き清掃部材である。
【００１７】
本発明の第１１の形態は、第７〜第１０のいずれかの形態において、前記当布の長手方向両端縁にテープが縫着されることにより、解れ防止処理が施されているポケット付き清掃部材である。
【００１８】
本発明の第１２の形態は、第７〜第１０のいずれかの形態において、前記当布の長手方向両端縁が内側に折り返されて縫着されることにより、解れ防止処理が施されているポケット付き清掃部材である。
【００１９】
本発明の第１３の形態は、第１〜第６のいずれかの形態のポケット付き清掃部材の両側のポケット部に、清掃部材保持具の両端部がそれぞれ挿入されている清掃具である。
【００２０】
本発明の第１４の形態は、第７〜第１２のいずれかの形態のポケット付き清掃部材の前記当布の一端側の開口部から他端側の前記ポケット部に、グリップ部に支持片が突設された清掃部材保持具の前記支持片が挿入されている清掃具である。
【発明の効果】
【００２１】
本発明の第１の形態によれば、基布の両側縁に布糸解れ防止手段を設けているから、布糸の解れが発生したり、千切れたりせず、使用上の寿命が長く、耐久性に富んだ清掃部材を提供することができる。また、ポケット部が基布の長手方向両端部を折り返して形成されているから、この折り返し部分に裁断箇所がない。従って、この折り返し部分に布糸の解れが発生せず、千切れたりせず、使用上の寿命が長く、耐久性に富んだものとすることができる。また、洗濯を繰返して再利用した場合にも、布糸の解れが発生せず、千切れたりすることがなく、耐久性に優れている。従って、家庭用清掃具に限らず、洗濯再生頻度の多いレンタル業務用清掃具等に好適に用いることができる。尚、払拭部材としては、例えば、モップ等のパイル材、クロス体、スポンジ体、ブラシ体などがある。
【００２２】
本発明の第２の形態によれば、基布及びポケット部が織布からなり、糸解れ防止手段が織布の横糸をジクザグ状に織成し、両側縁に糸切断部を有しない布縁構造からなるから、切断糸が露出せず、織布の糸の解れが発生せず、耐久性に優れている。
【００２３】
本発明の第３の形態によれば、基布及びポケット部が化繊糸布からなり、布糸解れ防止手段が、化繊糸布の両側縁を溶着した溶着部を備えた布縁構造からなるものであるから、裁断糸が露出せず、布糸の解れが発生せず、耐久性に優れている。
【００２４】
本発明の第４の形態によれば、基布及びポケット部が布に合成樹脂を塗布した素材から形成され、布糸解れ防止手段が、合成樹脂を布に塗布して布の縁部を固着する構造からなるから、布の解れが生じなく耐久性に優れている。また、合成樹脂を布に塗布するだけであるから、布糸解れ防止手段の形成を簡単に行える。
【００２５】
本発明の第５の形態によれば、ポケット部の端縁にテープが縫着されることにより、解れ防止処理が施されているから、ポケット部の端縁の解れを防ぐことができる。特に、清掃部材保持具の端部を挿入する際に、この清掃部材保持具の端部がポケット部の端縁に当接しても、その端縁の解れを防止でき、耐久性に優れている。尚、テープとしては、縦糸と横糸が斜めに交差した伸縮性のあるバイアステープや、縦糸と横糸が垂直に交差したテープ等がある。
【００２６】
本発明の第６の形態によれば、ポケット部の端縁が内側に折り返されて縫着されることにより、解れ防止処理が施されているから、ポケット部の端縁の解れを防ぐことができる。また、ポケット部の端縁を内側に折り返すだけであるから、他の部材を用いることなく、解れ防止処理を行うことができ、コストダウンを図ることができる。特に、清掃部材保持具の端部を挿入する際に、この清掃部材の端部がポケット部の端縁に当接しても、その端縁の解れを防止でき、耐久性に優れている。
【００２７】
本発明の第７の形態によれば、ポケット部の開口部を覆うように基布の中間部に配置された当布の両側縁に当布糸解れ防止手段が設けられているから、この当布の両側縁に、布糸の解れが発生したり、千切れたりせず、耐久性に富んでいる。また、この当布の両側縁が基布に固定された状態で、洗濯を繰り返して再利用した場合にも、当布の布糸の解れが発生せず、千切れたりすることがなく、耐久性に優れたポケット付き清掃部材を提供することができる。
【００２８】
本発明の第８の形態によれば、当布が織布からなり、当布糸解れ防止手段が、織布の横糸をジグザグ状に織成し、両側縁に糸切断部を有しない布縁構造からなるものであるから、切断糸が露出せず、織布の糸の解れが発生せず、耐久性に優れている。
【００２９】
本発明の第９の形態によれば、当布が化繊糸布からなり、当布糸解れ防止手段が、化繊糸布の両側縁を溶着した溶着部を備えた布縁構造からなるものであるから、裁断糸が露出せず、布糸の解れが発生せず、耐久性に優れている。尚、布としては、織布、編布、不織布などの一般の布が使用できる。
【００３０】
本発明の第１０の形態によれば、当布が布に合成樹脂を塗布した素材から形成され、当布糸解れ防止手段が、合成樹脂を布に塗布して布の縁部固着する構造からなるものであるから、布糸の解れが生じなく、耐久性に優れている。また、基布と当布の両側縁は、縫着又は溶着によって固定できるから、その作業を簡単に行うことができる。更に、基布と当布の両側縁を、溶着した後に縫着することによって強固に固定することができる。尚、布としては、織布、編布、不織布などの一般の布が使用できる。
【００３１】
本発明の第１１の形態によれば、当布の長手方向両端縁にテープが縫着されることにより、解れ防止処理が施されているから、当布の長手方向両端縁の解れを防止することができ、耐久性に優れている。特に、清掃部材保持具の端部を挿入する際に、この清掃部材保持具の端部が当布の端縁に当接しても、当布の端縁の解れを防止でき、耐久性に優れている。尚、テープとしては、縦糸と横糸が斜めに交差した伸縮性のあるバイアステープや、縦糸と横糸が垂直に交差したテープ等がある。
【００３２】
本発明の第１２の形態によれば、当布の長手方向両端縁が内側に折り返されて縫着されることにより、解れ防止処理が施されているから、ポケット部の長手方向両端縁の解れを防止できる。また、当布の長手方向両端縁を内側に折り返すだけであるから、別部材を用いる必要がなく、解れ防止処理を行うことができ、コストダウンを図ることができる。特に、清掃部材保持具を挿入するときに、この清掃部材保持具の端部が当布の長手方向端縁に当接しても、その端縁の解れを防止でき、耐久性に優れている。
【００３３】
本発明の第１３の形態によれば、第１〜第６のいずれかの形態に記載のポケット付き清掃部材の両側のポケット部に、清掃部材保持具の両端部がそれぞれ挿入されているから、ハンドルを有するモップとして使用することができる。また、ハンドルを有さないモップとしても使用できる。更に、両側のポケット部は、その端縁が解れ防止処理されているから、清掃部材保持具の端部をポケット部に挿入するときに、清掃部材保持具の端部がポケット部の端縁に多数回当接しても、その端縁が解れることがなく、耐久性に優れている。
【００３４】
本発明の第１４の形態によれば、第７〜第１２のいずれかの形態に記載のポケット付き清掃部材の当布の一端側の開口部から他端側のポケット部に、清掃具のグリップ部に突設された支持片が挿入されているから、ハンディモップとして使用できる。また、当布の長手方向端縁が解れ防止処理なされているから、清掃具の支持片の端部が当布の長手方向端縁に当接しても、これら端縁に解れが生じることがない。従って、耐久性に優れた清掃具を提供することができる。更に、ポケット付き清掃部材の当布の他端側の開口部から一端側のポケット部に、グリップ部に突設された支持片を挿入することもできるから、より一層耐久性に優れた清掃具を提供することができる。
【発明を実施するための最良の形態】
【００３５】
以下、本発明に係るポケット付き清掃部材及び清掃具の実施の形態を、添付する図１〜図１０に基づいて詳細に説明する。
図１は本発明に係るポケット付き清掃部材の第１実施形態を示し、（１Ａ）はその斜視図、（１Ｂ）はその基布及びポケット部を形成する織布の縦糸と横糸の構成を模式的に拡大した布構造を示す平面図である。（１Ａ）に示すように、この第１実施形態のポケット付き清掃部材１は、基布２下面に複数のパイルからなる払拭部材３が設けられており、基布２の長手方向両端部を折り返してポケット部４、５が形成されている。更に、ポケット部４、５の開口部４ａ、５ａを覆うように、基布２の中間部に当布６が配置されている。ポケット部４、５の両側縁と当布６の両側縁は、基布２の両側縁に縫着されている。
【００３６】
基布２とポケット部４、５と当布６には、（１Ｂ）に示す布材が用いられており、この布材は、縦糸７及び横糸８より織成された織布からなり、縦糸７に対して横糸８がジグザグ状（Ｓ字状）に織成されている。従って、縦糸７側の布端縁７ａには縦糸７を裁断した切断部があるが、横糸８側の布端縁８ａには、ジグザグ状に織成された折り返しループ部が露出して糸切断部を有しない布縁構造を形成している。基布２、ポケット部４、５及び当布６は、縦糸７を長辺にした布材が使用されている。布材の素繊維には綿繊維やナイロン等の合成化学繊維を使用できる。
【００３７】
従って、基布２、ポケット部４、５及び当布６の両側縁には、布糸の解れが生じたり、千切れたりせず、使用上の寿命が長く、耐久性に富んでいる。更に、ポケット部４、５が基布２の長手方向両端部を折り返して形成しているから、この折り返し部分に裁断箇所がない。従って、この折り返し部分に布糸の解れが発生したり、千切れたりせず、使用上の寿命が長く、耐久性に富んでいる。また、洗濯を繰り返して再利用した場合にも、布糸の解れが発生せず、千切れたりすることがなく、耐久性に優れている。
【００３８】
図２は図１に示すポケット付き清掃部材の第１例における縫着前の分解斜視図である。図２に示すように、当布６の長手方向両端縁には、第１例として、横向きＵ字状に曲成されたテープ９が縫着されて、解れ防止処理が施されている。このテープ９としては縦糸と横糸とが斜めに交差した伸縮性のあるバイアステープや、縦糸と横糸が垂直に交差したテープ等が使用される。従って、解れ防止処理により、当布６の長手方向両端縁に解れが発生せず、千切れたりすることがなく、耐久性に優れている。
【００３９】
図３は図１に示すポケット付き清掃部材の第２例における縫着前の分解斜視図である。図３に示すように、第２例として、当布６の長手方向両端縁６ａ、６ａが内側に折り返されて縫着されて、解れ防止処理が施されている。従って、解れ防止処理により、当布６の長手方向両端縁６ａ、６ａに解れが発生せず、千切れたりすることがなく、耐久性に優れている。
【００４０】
図４は図１に示すポケット付き清掃部材を用いた本発明に係る清掃具の第１例の分解斜視図である。図４に示すように、（１Ａ）に示すポケット付き清掃部材１に、清掃部材保持具１０のグリップ部１１に突設された支持片１２が挿入されるようになっている。この清掃部材保持具１０は、グリップ部１１の先端部１３に下向きに設けた上歯部１４，１５を、支持片１２の上面に対して支持片１２とグリップ部１１との連設部分１６に揺動自在に支持片１２上に軸支された揺動片１７が設けられている。揺動片１７のグリップ部１１側一端には指操作部１８が設けられている。支持片１２の上面には、上歯部１４、１５と対向して下歯部１９が突設されている。
【００４１】
図５は図４に示す清掃具の組み付け完了時の斜視図である。図５に示すように、清掃部材保持具１０の支持片１２をポケット付き清掃部材１の当布６の一方側の端縁から内部に向けて挿入する。更に、支持片１２の先端を他方側のポケット部５の開口部５ａから奥部に挿入する。次に、指操作部１８を指で押して先端部１３を開いて指を離すと、先端部１３が閉まり、上歯部１４、１５と下歯部１９が当布６の縁部に喰い込んでポケット付き清掃部材１が清掃部材保持具１０の支持片１２に装着される。この状態でハンディモップとして使用することができる。
【００４２】
図６は図５に示す清掃具の縦断面図である。図６に示すように、清掃部材保持具１０の支持片１２は一方側のポケット部４と当布６の端縁との間隙に挿入され、当布６の一方側の端縁の下側に挿入された後に、他方側のポケット部５の開口部５ａから奥部に挿入されて装着される。また、清掃部材保持具１０の支持片１２は、当布６の他方側の端縁の下側に挿入して、一方側のポケット部４内に挿入して装着することも可能である。従って、当布６の長手方向端縁が解れ防止処理なされているから、清掃部材保持具１０の支持片１２の端部が当布６の長手方向端縁に当接しても、これら端縁に解れが生じることがない。従って、耐久性に優れた清掃具を提供することができる。
【００４３】
図７は図１における基布とポケット部における別の布の縦糸と横糸の構成を模式的に拡大した布構造を示す平面図である。図７に示すように、この布材はナイロン等の合成化学繊維糸からなる縦糸２０及び横糸２１により織成された織布からなり、縦糸２０及び横糸２１の布端縁の裁断部分は溶着され、縦横のそれぞれに溶着部２２、２３を備えている。このような布切断部を溶着した溶着部２２、２３を備えた布縁構造からなる布糸解れ防止手段及び当布糸解れ防止手段を施した布材を基布２、ポケット部４、５及び当布６として用いることもできる。このようにすれば、（１Ｂ）の布材と同様に、布側縁において切断糸が露出せず、布糸の解れが発生しない、優れた耐久性を有することができる。
【００４４】
尚、基布２、ポケット部４、５及び当布６が布に合成樹脂を塗布した素材から形成し、合成樹脂を布に塗布して布の縁部を固着して解れ防止するようにしてもよい。この場合、基布２とポケット部４、５及び当布６の両側縁を縫着及び／又は溶着により固定するとよい。このようにすると、裁断糸が露出せず、布糸の解れが発生せず、耐久性に優れている。布としては、織布、編布、不織布などの一般の布が使用できる。
【００４５】
図８は第２実施形態のポケット付き清掃部材を用いた第２例の清掃具の斜視図である。図８に示すように、このポケット付き清掃部材２５は、基布２６下面に複数のパイルからなる払拭部材３が設けられており、基布２６の長手方向両端部を折り返してポケット部２７、２８が形成されている。基布２６及びポケット部２７、２８は、（１Ｂ）に示す布材で形成されている。清掃部材保持具２９は、回動操作可能なハンドル３０と、このハンドル３０が取り付けられた開閉可能な二股状の支持片部３１、３２とから構成されている。この清掃部材保持具２９の各支持片部３１、３２をポケット部２７、２８に挿入することにより、モップとしての清掃具が実現する。
【００４６】
図９は図８に示すポケット付き清掃部材の縫着前の分解斜視図である。図９に示すように、ポケット部２７、２８の端縁に横向きＵ字状に曲成したテープ３３を縫着して、解れ防止処理を施すようにしている。従って、このポケット部２７、２８の端縁に清掃部材保持具２９の支持片部３１、３２の先端が当接しても、布糸の解れが生じることがなく、千切れたりすることもなく、耐久性に優れている。
【００４７】
図１０は図９に示すポケット付き清掃部材の別例の縫着前の分解斜視図である。図１０に示すように、ポケット部２７、２８の端縁２７ａ、２８ａを内側に折り返して縫着して、解れ防止処理を施すようにしている。従って、このポケット部２７、２８の端縁２７ａ、２８ａに清掃部材保持具２９の支持片部３１、３２の先端が当接しても、布糸の解れが生じることがなく、千切れたりすることもなく、耐久性に優れている。
【００４８】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００４９】
本発明に係るポケット付き清掃部材及び清掃具は、ハンディモップや一般のモップ等に適用でき、家庭用のモップや業務用のモップ等として使用可能であり、ポケット付き清掃部材は、レンタル業務用としても使用することができる。
【図面の簡単な説明】
【００５０】
【図１】本発明に係るポケット付き清掃部材の第１実施形態を示し、（１Ａ）はその斜視図、（１Ｂ）はその基布及びポケット部を形成する織布の縦糸と横糸の構成を模式的に拡大した布構造を示す平面図である。
【図２】図１に示すポケット付き清掃部材の第１例における縫着前の分解斜視図である。
【図３】図１に示すポケット付き清掃部材の第２例における縫着前の分解斜視図である。
【図４】図１に示すポケット付き清掃部材を用いた本発明に係る清掃具の第１例の分解斜視図である。
【図５】図４に示す清掃具の組み付け完了時の斜視図である。
【図６】図５に示す清掃具の縦断面図である。
【図７】図１における基布とポケット部における別の布の縦糸と横糸の構成を模式的に拡大した布構造を示す平面図である。
【図８】第２実施形態のポケット付き清掃部材を用いた第２例の清掃具の斜視図である。
【図９】図８に示すポケット付き清掃部材の縫着前の分解斜視図である。
【図１０】図９に示すポケット付き清掃部材の別例の縫着前の分解斜視図である。
【図１１】従来の湿潤清掃用モップカバーの一部切断斜視図である。
【図１２】従来の清掃具を示し、（１２Ａ）はその分解斜視図、（１２Ｂ）はその組み付けされた状態を示す斜視図である。
【符号の説明】
【００５１】
１          ポケット付き清掃部材
２          基布
３          払拭部材
４          ポケット部
４ａ        開口部
５          ポケット部
５ａ        開口部
６          当布
６ａ        長手方向端縁
７          縦糸
７ａ        布端縁
８          横糸
８ａ        布端縁
９          テープ
１０        清掃部材保持具
１１        グリップ部
１２        支持片
１３        グリップ部の先端部
１４        上歯部
１５        上歯部
１６        連設部分
１７        揺動片
１８        指操作部
１９        下歯部
２０        縦糸
２１        横糸
２２        溶着部
２３        溶着部
２５        ポケット付き清掃部材
２６        基布
２７        ポケット部
２７ａ      端縁
２８        ポケット部
２８ａ      端縁
２９        清掃部材保持具
３０        ハンドル
３１        支持片部
３２        支持片部
３３        テープ
【図１】
2007215791.tif 000003
【図２】
2007215791.tif 000004
【図３】
2007215791.tif 000005
【図４】
2007215791.tif 000006
【図５】
2007215791.tif 000007
【図６】
2007215791.tif 000008
【図７】
2007215791.tif 000009
【図８】
2007215791.tif 000010
【図９】
2007215791.tif 000011
【図１０】
2007215791.tif 000012
【図１１】
2007215791.tif 000013
【図１２】
2007215791.tif 000014